(57)【要約】【課題】血圧を簡易かつ正確に計測可能な血圧測定装置を提供する。【解決手段】人体の一部に圧力を加える第１の加圧部と、第１の加圧部における圧力を測定する第１の圧力測定部と、第１の加圧部における血管の脈動波形を計測する第１の脈動計測部と、人体の他の一部に圧力を加える第２の加圧部と、第２の加圧部における血管の脈動波形を計測する第２の脈動計測部と、第１の脈動計測部が計測する脈動波形と第２の脈動計測部が計測する脈動波形との時間差を測定する時間差測定部とを備えるように血圧測定装置を構成する。【選択図】  図２
2004344309.tif 000002
【特許請求の範囲】
【請求項１】
人体の一部に圧力を加える第１の加圧部と、
第１の加圧部における圧力を測定する第１の圧力測定部と、
第１の加圧部における血管の脈動波形を計測する第１の脈動計測部と、
人体の他の一部に圧力を加える第２の加圧部と、
第２の加圧部における血管の脈動波形を計測する第２の脈動計測部と、
第１の脈動計測部が計測する脈動波形と第２の脈動計測部が計測する脈動波形との時間差を測定する時間差測定部と
を有することを特徴とする血圧測定装置。
【請求項２】
前記血圧測定装置は、前記第２の脈動計測部が計測する脈動波形を基準とする前記時間差に対応する血圧レベルを保持し、前記第１の加圧部における圧力を当該血圧レベルにおける血圧として測定する請求項１に記載の血圧測定装置。
【請求項３】
前記第２の加圧部における圧力を測定する第２の圧力測定部を更に有する請求項１に記載の血圧測定装置。
【請求項４】
前記第２の脈動計測部が計測する脈動波形の振幅が最大になるように、前記第２の加圧部の圧力を制御する振幅制御部を更に有する請求項１ないし３のうちいずれか１項に記載の血圧測定装置。
【請求項５】
前記第２の脈動計測部が計測する脈動波形の振幅を最大にするために、前記第２の加圧部の圧力を増加させるか減少させるかを表示する請求項１ないし３のうちいずれか１項に記載の血圧測定装置。
【請求項６】
人体の一部に圧力を加える第１の加圧部と、
第１の加圧部における血管の脈動波形を計測する第１の脈動計測部と、
人体の他の一部に圧力を加える第２の加圧部と、
第２の加圧部における血管の脈動波形を計測する第２の脈動計測部と、
第１の脈動計測部が計測する脈動波形と第２の脈動計測部が計測する脈動波形との時間差を測定する時間差測定部と、
時間差測定部が測定する時間差が所定の値になるように前記第２の加圧部の圧力を制御する制御部と
を有することを特徴とする血圧測定装置。
【請求項７】
前記血圧測定装置は、脈動波形と血圧との関係を示すデータを記憶し、前記第２の脈動計測部が計測する脈動波形と当該データとから前記第２の加圧部における圧力を求める請求項６に記載の血圧測定装置。
【請求項８】
前記第２の加圧部における圧力を測定する第２の圧力測定部を更に有する請求項６に記載の血圧測定装置。
【請求項９】
前記第１の脈動計測部が計測する脈動波形の振幅が最大になるように、前記第１の加圧部の圧力を制御する振幅制御部を更に有する請求項６ないし８のうちいずれか１項に記載の血圧測定装置。
【請求項１０】
前記第１の脈動計測部が計測する脈動波形の振幅を最大にするために、前記第１の加圧部の圧力を増加させるか減少させるかを表示する請求項６ないし８のうちいずれか１項に記載の血圧測定装置。
【請求項１１】
人体の一部に圧力を加える第１の加圧部と、
第１の加圧部における血管の脈動波形を計測する第１の脈動計測部と、
第１の脈動計測部が計測する脈動波形が所定の形状となるように前記第１の加圧部の圧力を制御する第１の制御部と、
人体の他の一部に圧力を加える第２の加圧部と、
第２の加圧部における圧力を測定する第２の圧力測定部と、
第２の加圧部における血管の脈動波形を計測する第２の脈動計測部と、
前記第１の脈動計測部が計測する脈動波形と前記第２の脈動計測部が計測する脈動波形との時間差を測定する時間差測定部と、
時間差測定部が測定する時間差が所定の値になるように前記第２の加圧部の圧力を制御する第２の制御部と
を有することを特徴とする血圧測定装置。
【請求項１２】
前記血圧測定装置は、前記第１の脈動計測部が計測する脈動波形を基準とする前記所定の値に対応する血圧レベルを保持し、前記第２の加圧部における圧力を当該血圧レベルにおける血圧として測定する請求項１１に記載の血圧測定装置。
【請求項１３】
前記第１の制御部は、前記第１の脈動計測部が計測する脈動波形が、計測される脈動波形のうち振幅が最大となる脈動波形の形状となるように前記第１の加圧部の圧力を制御する請求項１１に記載の血圧測定装置。
【請求項１４】
人体の一部に圧力を加える第１の加圧部と、
第１の加圧部における血管の脈動波形を計測する第１の脈動計測部と、
第１の脈動計測部が脈動波形を計測できる最大の圧力を維持するように前記第１の加圧部の圧力を制御する第１の制御部と、
人体の他の一部に圧力を加える第２の加圧部と、
第２の加圧部における圧力を測定する第２の圧力測定部と、
第２の加圧部における血管の脈動波形を計測する第２の脈動計測部と、
前記第１の脈動計測部が計測する脈動波形と前記第２の脈動計測部が計測する脈動波形との時間差を測定する時間差測定部と、
時間差測定部が測定する時間差が所定の値になるように前記第２の加圧部の圧力を制御する第２の制御部と
を有することを特徴とする血圧測定装置。
【請求項１５】
前記血圧測定装置は、前記第１の脈動計測部が計測する脈動波形を基準とする前記所定の値に対応する血圧レベルを保持し、前記第２の加圧部における圧力を当該血圧レベルにおける血圧として測定する請求項１４に記載の血圧測定装置。
【請求項１６】
前記所定の値は、最高血圧と最低血圧の中間の血圧レベルに対応する時間差である請求項１４に記載の血圧測定装置。
【請求項１７】
人体の一部に圧力を加える第１の加圧部と、第１の加圧部における圧力を測定する第１の圧力測定部と、第１の加圧部における血管の脈動波形を計測する第１の脈動計測部と、人体の他の一部に圧力を加える第２の加圧部と、第２の加圧部における血管の脈動波形を計測する第２の脈動計測部とを有する血圧測定装置を用い、
第１の脈動計測部が計測する脈動波形と第２の脈動計測部が計測する脈動波形との時間差を測定し、前記第２の脈動計測部が計測する脈動波形を基準とする当該時間差と血圧レベルとの関係を用いることにより、前記第１の加圧部における圧力を当該血圧レベルにおける血圧として測定することを特徴とする血圧測定方法。
【請求項１８】
前記血圧測定装置は前記第２の加圧部における圧力を測定する第２の圧力測定部を更に有し、
前記第１の加圧部における圧力を、当該第２の圧力測定部により測定された圧力に対応する脈動波形を基準とした時間差に対応する血圧レベルにおける血圧として測定する請求項１７に記載の血圧測定方法。
【発明の詳細な説明】
【０００１】
【発明の属する技術分野】
本発明は、血圧を簡易かつ正確に計測する血圧測定装置に関する。
【０００２】
【従来の技術】
高齢化が進み、生活習慣病や成人病との関連の深い血液循環への関心が高まり、高精度な血圧測定装置が注目されている。特に血管の脈動波形による血圧測定装置（例えば、非特許文献１参照。）は、他の方式であるカフ振動法や容積補償法などによる血圧測定装置（例えば、非特許文献２参照。）に比較して、格段に分解能が高いため、精密な血圧の測定が可能となる。
【０００３】
非特許文献１に記載されている血圧測定装置による従来の血圧測定の原理を図１２と図１３を用いて説明する。
【０００４】
図１２は非特許文献１に記載されている血圧測定装置の構成を示すブロック図である。図１２に示すようにこの血圧測定装置は加圧部１００、加圧ポンプ１０１、血管の脈動波形を計測する脈動計測部１０２、血管の脈動波形を表示する脈動表示部１０３、圧力測定部１０４、圧力表示部１０５により構成される。図１２において人体の一部２００に装着された加圧部１００は加圧ポンプ１０１から供給される圧力により人体の一部２００に圧力を加える。圧力測定部１０４は加圧部１００により人体の一部２００へ加えられる圧力を測定し、その圧力の値は圧力表示部１０５に表示される。脈動計測部１０２は加圧状態における人体の一部２００の血管の脈動波形を計測し脈動表示部１０３に表示する。
【０００５】
上記のような血圧測定装置の動作原理を図１３を用いて説明する。図１３において、血圧は血圧波形１１０のように心臓の運動により鋸歯状の波形を示しながら全体的に緩やかにうねるような変化を示す。なお、この血圧波形１１０は血圧測定の原理説明のために示したものであり、血管内に挿入された精密な血圧測定器により測定可能であるが、人体の外部から測定する従来の血圧測定装置で測定されたものではない。従来の血圧測定は次のようにして行われる。
【０００６】
まず、図１２の加圧部１００により人体の一部２００に十分高い圧力を加えて血流を止めた状態から加圧部１００の圧力を徐々に低下させる。この減圧の過程は図１３の加圧部の圧力１１４として示され、時間の経過とともに圧力が減少する様子が示されている。
【０００７】
図１３に示す脈動波形１２０は、上記の減圧過程において図１２の脈動計測部１０２において計測される人体の一部２００の血管の脈動波形である。加圧部の圧力１１４が十分高い時は血流が停止し血管の脈動波形１２０はほとんど現れないが、加圧部の圧力１１４を低下させるとともに、小さな三角状の脈動波形が出現する。この血管の脈動波形１２０の出現時点を図１３にＡ点１２１で示している。さらに、加圧部の圧力１１４を低下させると脈動波形１２０の振幅は増大しＢ点１２２において最大値に達する。さらに、加圧部の圧力１１４を低下させると脈動波形１２０の振幅は緩やかに減少した後、脈動波形１２０の上端部は一定値となり平坦な状態を示す。この脈動波形１２０の上端部が一定値になった後に、脈動波形１２０の下端部も減少状態から一定値に転換する。この脈動波形１２０の下端部の値が一定値へ転換する時点をＣ点１２３で示している。さらに図１３には次に説明する最高血圧１１１、平均血圧１１２、最低血圧１１３も示している。加圧部の圧力１１４の減圧の過程で、脈動波形１２０に出現する変化点であるＡ点１２１に対応する加圧部の圧力１１４の値が最高血圧１１１であり、Ｂ点１２２に対応する加圧部の圧力１１４の値が平均血圧１１２であり、Ｃ点１２３に対応する加圧部の圧力１１４の値が最低血圧１１３である。本願においては前記のように「平均血圧」という用語を使用しているが、この「平均血圧」という用語は最高血圧と最低血圧の数学的な平均値を表現するものではなく、脈動波形１２０の振幅が最大値に達するＢ点１２２に対応する血圧を表現するものである。また、脈動波形１２０の信号振幅に着目してみると、Ａ点１２１においては脈動波形１２０が出現し始める状態であり、脈動波形１２０の振幅は最小値であり、加圧部の圧力１１４の減圧に従って増大する。Ｂ点１２２においては脈動波形１２０の振幅は最大値であり、この状態から加圧部の圧力１１４が高い方、あるいは低い方へ変化しても脈動波形１２０の振幅は減少する。Ｃ点１２３においては脈動波形１２０の振幅は一定値へ変化しており、加圧部の圧力１１４が減少しても一定値を保っている。このように脈動波形１２０の振幅はＡ点１２１、Ｂ点１２２、Ｃ点１２３において顕著な特徴を持っている。
【０００８】
次に、上記の原理に基づく従来の血圧測定法について具体的に説明する。従来の技術においては、加圧部の圧力１１４を血流が停止する十分高い圧力から徐々に減圧する過程で変化する脈動波形１２０の大きさ、すなわち脈動波形信号振幅に相当する量を聴診器を用いて音の強弱として耳で聞いて判断する、または脈動波形１２０の脈動波形信号振幅を電気的に取り出して計測し表示する、等の方法により最高血圧１１１に対応するＡ点１２１と最低血圧１１３に対応するＣ点１２３を判断して、その時点で人体の一部に加えている圧力を測定してそれぞれ最高血圧１１１と最低血圧１１３を測定していた。
【０００９】
しかし、図１３に示した通り脈動波形１２０は複雑な変化を示しており、この変化の中からＡ点１２１とＣ点１２３を聴診器を用いて音の強弱として耳で聞いて判断する場合は測定者の個人差と測定誤差が大きくなる欠点があった。また、一方、脈動波形１２０の脈動波形信号振幅を電気的に取り出して計測する方法も脈動波形１２０の変化が複雑であるために、測定装置による偏差や雑音による測定誤差が大きいという欠点があった。さらに、非特許文献１においては脈動波形１２０を光を応用して計測し脈動波形１２０の変化から、特に最低血圧に対応する図１３にＣ点１２３で示した点を見出す方法が述べられているが、この方法は最低血圧の測定には有効であるが、最高血圧から最低血圧に至る幅広い範囲の血圧を簡易に測定することは出来ない難点があった。このように従来技術においては血圧を体外から簡易に、かつ高精度に測定することは困難であった。
【００１０】
【非特許文献１】
Ｏｓａｍｕ  Ｔｏｃｈｉｋｕｂｏ，  Ｙｏｓｈｉｙｕｋｉ  Ｋａｗａｓｏ，  Ｅｉｊｉ  Ｍｉｙａｊｉｍａ，  Ｍａｓａｏ  Ｉｓｈｉｉ：  Ａ  ｎｅｗ    ｐｈｏｔｏ−ｏｓｃｉｌｌｏｍｅｔｒｉｃ  ｍｅｔｈｏｄ  ｅｍｐｌｏｙｉｎｇ  ｔｈｅ  ｄｅｌｔａ−ａｌｇｏｒｉｔｈｍ  ｆｏｒ  ａｃｃｕｒａｔｅ    ｂ１ｏｏｄ  ｐｒｅｓｓｕｒｅ  ｍｅａｓｕｒｅｍｅｎｔ．Ｊｏｕｒｎａｌ  ｏｆ  Ｈｙｐｅｒｔｅｎｓｉｏｎ  １９９７，  Ｖｏｌ．  １５，  Ｎｏ．２，    ｐｐ．１４８−１５１，  Ｆｉｇ．１，  Ｆｉｇ．３
【００１１】
【非特許文献２】
山越憲一、戸川達男：「生体センサと計測装置」日本エム・イー学会編／ＭＥ教科書シリーズ  Ａ−１，３９頁〜５２頁
【００１２】
【発明が解決しようとする課題】
本発明は、このような問題を解決するために、血圧を簡易かつ正確に計測可能な血圧測定装置を提供することを目的とする。
【００１３】
【課題を解決するための手段】
上記の課題は、人体の一部に圧力を加える第１の加圧部と、第１の加圧部における圧力を測定する第１の圧力測定部と、第１の加圧部における血管の脈動波形を計測する第１の脈動計測部と、人体の他の一部に圧力を加える第２の加圧部と、第２の加圧部における血管の脈動波形を計測する第２の脈動計測部と、第１の脈動計測部が計測する脈動波形と第２の脈動計測部が計測する脈動波形との時間差を測定する時間差測定部とを有するように血圧測定装置を構成することにより解決する。
【００１４】
本発明によれば、時間差測定部により測定した時間差を用いることにより、血圧を簡易かつ正確に測定できる。
【００１５】
また、前記血圧測定装置は、前記第２の脈動計測部が計測する脈動波形を基準とする前記時間差に対応する血圧レベルを保持し、前記第１の加圧部における圧力を当該血圧レベルにおける血圧として測定するように構成することができる。。
【００１６】
前記血圧測定装置が、前記第２の加圧部における圧力を測定する第２の圧力測定部を更に有することにより、第２の加圧部における圧力を正確に把握できるとともに、第２の加圧部における圧力を基準とする時間差のデータを用いることにより、第２の加圧部における任意の圧力に対して、前記第１の加圧部における圧力を所定の血圧レベルの血圧として測定できる。
【００１７】
前記血圧測定装置は、前記第２の脈動計測部が計測する脈動波形の振幅が最大になるように、前記第２の加圧部の圧力を制御する振幅制御部を更に備えてもよい。また、前記第２の脈動計測部が計測する脈動波形の振幅を最大にするために、前記第２の加圧部の圧力を増加させるか減少させるかを表示するようにしてもよい。これにより、平均血圧に対応する脈動波形を基準として、第１の加圧部の圧力から血圧を測定できる。
【００１８】
上記の課題は、人体の一部に圧力を加える第１の加圧部と、第１の加圧部における血管の脈動波形を計測する第１の脈動計測部と、人体の他の一部に圧力を加える第２の加圧部と、第２の加圧部における血管の脈動波形を計測する第２の脈動計測部と、第１の脈動計測部が計測する脈動波形と第２の脈動計測部が計測する脈動波形との時間差を測定する時間差測定部と、時間差測定部が測定する時間差が所定の値になるように前記第２の加圧部の圧力を制御する制御部とを血圧測定装置に備えることによっても解決できる。
【００１９】
本発明によれば、上記所定の値に対応する血圧レベルの血圧を簡易かつ正確に測定できる。
【００２０】
前記血圧測定装置は、脈動波形と血圧との関係を示すデータを記憶し、前記第２の脈動計測部が計測する脈動波形と当該データとから前記第２の加圧部における圧力を求めるようにしてもよいし、前記第２の加圧部における圧力を測定する第２の圧力測定部を更に有するように構成してもよい。
【００２１】
また、上記の血圧測定装置において、前記第１の脈動計測部が計測する脈動波形の振幅が最大になるように、前記第１の加圧部の圧力を制御する振幅制御部を更に有するように構成してもよいし、前記第１の脈動計測部が計測する脈動波形の振幅を最大にするために、前記第１の加圧部の圧力を増加させるか減少させるかの表示を行うようにしてもい。
【００２２】
上記の課題は、人体の一部に圧力を加える第１の加圧部と、第１の加圧部における血管の脈動波形を計測する第１の脈動計測部と、第１の脈動計測部が計測する脈動波形が所定の形状となるように前記第１の加圧部の圧力を制御する第１の制御部と、人体の他の一部に圧力を加える第２の加圧部と、第２の加圧部における圧力を測定する第２の圧力測定部と、第２の加圧部における血管の脈動波形を計測する第２の脈動計測部と、前記第１の脈動計測部が計測する脈動波形と前記第２の脈動計測部が計測する脈動波形との時間差を測定する時間差測定部と、時間差測定部が測定する時間差が所定の値になるように前記第２の加圧部の圧力を制御する第２の制御部とを有するよう血圧測定装置を構成することによっても解決できる。本発明によれば、血圧を簡易かつ正確に測定できるようになる。
【００２３】
前記血圧測定装置は、前記第１の脈動計測部が計測する脈動波形を基準とする前記所定の値に対応する血圧レベルを保持し、前記第２の加圧部における圧力を当該血圧レベルにおける血圧として測定するように構成することもできる。
【００２４】
上記の血圧測定装置において、前記第１の制御部を、前記第１の脈動計測部が計測する脈動波形が、計測される脈動波形のうち振幅が最大となる脈動波形の形状となるように前記第１の加圧部の圧力を制御するように構成することにより、平均血圧に対応する脈動波形を基準として、第２の加圧部の圧力から所望の血圧レベルの血圧を簡易かつ正確に測定できる。
【００２５】
また、上記の課題は、人体の一部に圧力を加える第１の加圧部と、第１の加圧部における血管の脈動波形を計測する第１の脈動計測部と、第１の脈動計測部が脈動波形を計測できる最大の圧力を維持するように前記第１の加圧部の圧力を制御する第１の制御部と、人体の他の一部に圧力を加える第２の加圧部と、第２の加圧部における圧力を測定する第２の圧力測定部と、第２の加圧部における血管の脈動波形を計測する第２の脈動計測部と、前記第１の脈動計測部が計測する脈動波形と前記第２の脈動計測部が計測する脈動波形との時間差を測定する時間差測定部と、時間差測定部が測定する時間差が所定の値になるように前記第２の加圧部の圧力を制御する第２の制御部とを有するように構成することによっても解決できる。
【００２６】
本発明によれば、最大血圧に対応する脈動波形を基準として、第２の加圧部の圧力から所望の血圧レベルの血圧を簡易かつ正確に測定できる。。
【００２７】
また、前記所定の値を、最高血圧と最低血圧の中間の血圧レベルに対応する時間差とすることにより、平均血圧のレベルに対応する血圧を簡易かつ正確に測定できる。
【００２８】
また、上記の課題は、人体の一部に圧力を加える第１の加圧部と、第１の加圧部における圧力を測定する第１の圧力測定部と、第１の加圧部における血管の脈動波形を計測する第１の脈動計測部と、人体の他の一部に圧力を加える第２の加圧部と、第２の加圧部における血管の脈動波形を計測する第２の脈動計測部とを有する血圧測定装置を用い、第１の脈動計測部が計測する脈動波形と第２の脈動計測部が計測する脈動波形との時間差を測定し、前記第２の脈動計測部が計測する脈動波形を基準とする当該時間差と血圧レベルとの関係を用いることにより、前記第１の加圧部における圧力を当該血圧レベルにおける血圧として測定する血圧測定方法によっても解決できる。
【００２９】
また、上記血圧測定方法において、前記血圧測定装置は前記第２の加圧部における圧力を測定する第２の圧力測定部を更に有し、前記第１の加圧部における圧力を、当該第２の圧力測定部により測定された圧力に対応する脈動波形を基準とした時間差に対応する血圧レベルにおける血圧として測定するようにしてもよい。
【００３０】
【発明の実施の形態】
まず、図１を参照して本発明の原理について説明する。
【００３１】
脈動波形は加圧部の圧力の変化により図１に示すような変化を示す。図１において脈動波形Ｘ１３１は加圧部の圧力が比較的高い場合の波形であり、脈動波形Ｙ１３２は加圧部の圧力が比較的低い場合の波形である。ここで血圧は血圧波形１３０のように変化している。時点ＴＸ１３３は脈動波形Ｘ１３１の波形が立ち上がる時点を示し、時点ＴＹ１３４は脈動波形Ｙ１３２の波形が立ち上がる時点を示し、立ち上がり時間差１３５は時点ＴＸ１３３と時点ＴＹ１３４との差を示している。
【００３２】
図１に示すように、加圧部の圧力が高い場合の脈動波形は底辺の短い三角形になり、加圧部の圧力が低い場合の脈動波形は底辺の長い三角形になり、かつ加圧部の圧力が高い場合の脈動波形の立ち上がり時点は加圧部の圧力が低い場合の脈動波形の立ち上がり時点より遅くなることを示している。この立ち上がり時点の差、すなわち立ち上がり時間差１３５と、脈動波形Ｘ１３１が計測された時点の加圧部の圧力および脈動波形Ｙ１３２が計測された時点の加圧部の圧力の差には対応関係がある。従って、例えば、脈動波形Ｘ１３１が計測された時点の加圧部の圧力と立ち上がり時間差１３５を測定すれば、脈動波形Ｙ１３２が計測された時点の加圧部の圧力、すなわち、その時点の血圧を測定することができる。本願発明における実施の形態では、上記の原理に基づき、参照する人体の一部で計測する脈動波形を測定することにより、人体の他の一部の血圧を測定するものである。
【００３３】
すなわち、人体の一部に所定の圧力が加えられた際の当該人体の一部における脈動波形を基準として、人体の他の一部に種々の圧力（例えば、図１３に示す最高血圧のレベルから最低血圧のレベルにかけての複数の圧力）が加えられた際の脈動波形における立ち上がり時間差を、上記人体の他の一部に加えられた圧力（もしくは、最高血圧を１００とし最低血圧を０とした相対的な血圧レベル）と対応付けて保持しておく。このようなデータを種々の基準に対して保持しておく。これにより、参照する人体の一部で計測する脈動波形を測定することにより、人体の他の一部の脈動波形から当該人体の他の一部の血圧の血圧レベルを測定できる。
【００３４】
（第１の実施の形態）
以下、本発明の第１の実施の形態について、添付の図面を参照して説明する。図２は本発明の第１の実施の形態の血圧測定装置の構成を示す図である。
【００３５】
図２に示すように、本発明の第１の実施の形態における血圧測定装置は、人体の一部に任意の圧力を加える第１の加圧部１０、第１の加圧部１０における圧力を測定する第１の圧力測定部１１、第１の加圧部１０における血管の脈動波形を計測する第１の脈動計測部１２、人体の他の一部に任意の圧力を加える第２の加圧部２０、第２の加圧部２０における血管の脈動波形を計測する第２の脈動計測部２２、第１の加圧部１０に圧力を供給する第１の圧力供給部１４、第２の加圧部２０に圧力を供給する第２の圧力供給部２４により構成される。
【００３６】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される。
【００３７】
第１の脈動計測部１２、第２の脈動計測部２２はそれぞれ人体の一部の中で第１の加圧部１０、第２の加圧部２０が圧力を加えている部分に設置されている。第１の加圧部１０と第１の圧力供給部１４、第２の加圧部２０と第２の圧力供給部２４は、例えば空気ポンプなどを使用した加圧手段により構成しても良いし、ゴムあるいはスポンジのような弾力性のある材料で作られた加圧手段を用いても良いし、指で押すなどの簡易な加圧手段を用いても良い。
【００３８】
第１の脈動計測部１２、第２の脈動計測部２２の構成と機能を図３を参照して説明する。図３は第１の脈動計測部１２もしくは第２の脈動計測部２２が、脈動波形を計測する原理の説明図である。
【００３９】
第１の脈動計測部１２および第２の脈動計測部２２の各々は、図３に示すように、レーザー光線などの光を照射光３０として人体の一部に付着させた反射板３２へ照射し、反射板３２により反射された反射光３１をフォトダイオードなどにより測定するように構成されている。人体の一部は血管の脈動により膨張と収縮を繰り返しており、反射板３２も人体一部４０と全く同じ動きを示す。反射光３１は反射板３２の動きに応じて位置が変化する。すなわち、人体の一部が膨張して反射板３２が照射光３０の到来方向へ接近する方向へ移動した場合、反射光３１の量が増大し、あるいは反射光３１の到達位置が照射光３０の到来方向へ変化し、あるいは反射光３１の周波数が増大する等の変化が起きるので、反射光３１の変化により人体の一部の膨張量が測定可能である。また、人体の一部が収縮して反射板３２が照射光３０の到来方向と逆の方向へ移動した場合、反射光３１の量が減少し、あるいは反射光３１の到達位置が照射光３０の到来方向と逆の方向へ変化し、あるいは反射光３１の周波数が減少する等の変化が起きるので、反射光３１の変化により人体の一部の収縮量の測定が可能である。このような原理により第１の脈動計測部１２、第２の脈動計測部２２はそれぞれ脈動波形を計測し、計測した結果を出力する端子を備えている。
【００４０】
ここでは、人体の一部に付着させた反射板からの反射光を測定したが、反射板を付着させず人体の一部からの反射を測定してもよいし、人体の一部を透過させた透過光を測定しても脈動波形を計測することができる。以下の実施の形態でも同様である。
【００４１】
次に、本発明の第１の実施の形態における血圧測定装置による血圧測定方法を説明する。
【００４２】
第２の加圧部２０は第２の圧力供給部２４から圧力の供給を受けて、人体の一部に微小な圧力を加える。第２の加圧部２０が微小な圧力を人体の一部に加えると、第２の脈動計測部２２は図１３に示す最低血圧１１３に対応する脈動波形１２０のＣ点１２３の脈動波形を計測する。
【００４３】
一方、第１の加圧部１０は第１の圧力供給部１４から圧力の供給を受けて、人体の他の一部に任意の圧力を加え、第１の脈動計測部１２は脈動波形を計測する。外部からオッシロスコープ等の測定器を第１の脈動計測部１２と第２の脈動計測部２２のそれぞれの出力端子に接続すれば第１の脈動計測部１２と第２の脈動計測部２２のそれぞれが計測した脈動波形を観測でき、また図１に示した両者の立ち上がり時間差を測定できる。ここで、第２の脈動計測部２２が計測した脈動波形は最低血圧に対応しているので、これを基準にして、第１の脈動計測部１２が計測した脈動波形と第２の脈動計測部２２が計測した脈動波形の立ち上がり時間差により、第１の圧力測定部１０が測定する第１の加圧部１０が人体の一部に加えている圧力が最高血圧と最低血圧の間のどのレベルに相当するかを測定できる。
【００４４】
以上の手順により、第１の圧力測定部１０が測定する圧力からこの時点における人体の血圧とその血圧が最高血圧と最低血圧の間のどのレベルに相当するかを測定できる。また、第１の圧力測定部１０の測定する圧力は任意に変更できるので、最高血圧と最低血圧の間の任意のレベルに相当する血圧を測定できる。
【００４５】
また、上記の第１の実施の形態の血圧測定装置に、第２の脈動計測部２２が計測する脈動波形の振幅が最大になるように、第２の加圧部２０の圧力を制御する振幅制御部を付加することもできる。この場合、第２の脈動計測部２２が計測する脈動波形は平均血圧に対応する脈動波形となり、第１の圧力測定部１１が測定する第１の加圧部１０の圧力は、第２の脈動計測部２２が計測する平均血圧に対応する脈動波形を基準として第１の脈動計測部１２が計測した脈動波形と第２の脈動計測部２２が計測した脈動波形の立ち上がり時間差から測定した最高血圧と最低血圧の間の任意のレベルに相当する血圧となる。このように第２の脈動計測部２２が計測する脈動波形の振幅が最大になるように、第２の加圧部２０の圧力を制御する振幅制御部を付加した場合、第２の脈動計測部２２が計測する平均血圧に対応する脈動波形を基準として、第１の加圧部１０の圧力から最高血圧と最低血圧の間の任意のレベルに相当する血圧を測定できる。
【００４６】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、振幅制御部は第２の脈動計測部２２が計測する脈動波形の振幅が最大になるように第２の加圧部２０の圧力を増加させるか、または減少させるかの信号を表示し、これを目視により読み取り、第２の加圧部２０の加圧圧力を変化させる方法によって前記と同様な血圧の測定が可能である。
【００４７】
（第２の実施の形態）
以下、本発明の第２の実施の形態について、添付の図面を参照して説明する。図４は、本発明の第２の実施の形態における血圧測定装置の構成と動作を示す図である。
【００４８】
図４に示すように、第２の実施の形態の血圧測定装置は、人体の一部に任意の圧力を加える第１の加圧部１０、第１の加圧部１０における圧力を測定する第１の圧力測定部１１、第１の加圧部１０における血管の脈動波形を計測する第１の脈動計測部１２、人体の一部に任意の圧力を加える第２の加圧部２０、第２の加圧部２０における圧力を測定する第２の圧力測定部２１、第２の加圧部２０における血管の脈動波形を計測する第２の脈動計測部２２、第１の加圧部１０に圧力を供給する第１の圧力供給部１４、第２の加圧部２０に圧力を供給する第２の圧力供給部２４により構成される。
【００４９】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される。第１の脈動計測部１２、第２の脈動計測部２２はそれぞれ人体の一部の中で第１の加圧部１０、第２の加圧部２０が圧力を加えている部分に設置されている。第１の脈動計測部１２、第２の脈動計測部２２の構成と機能は第１の実施の形態の説明において図３を参照して説明したのもと同様である。第１の加圧部１０と第１の圧力供給部１４、第２の加圧部２０と第２の圧力供給部２４、は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段を用いても良い。
【００５０】
次に、本発明に第２の実施の形態における血圧測定装置の血圧測定方法を説明する。
【００５１】
第２の加圧部２０は第２の圧力供給部２４から圧力の供給を受けて、人体の一部に、例えば微小な圧力を加える。第２の圧力測定部２１は第２の加圧部２０が人体の一部に加えた圧力を測定する。第２の加圧部２０が微小な圧力を人体の一部に加えると、第２の脈動計測部２２は図１３に示す最低血圧１１３に対応する脈動波形１２０のＣ点１２３の脈動波形を計測する。
【００５２】
一方、第１の加圧部１０は第１の圧力供給部１４から圧力の供給を受けて、人体の一部に任意の圧力を加え、第１の脈動計測部１２は脈動波形を計測する。オッシロスコープ等の測定器を、第１の脈動計測部１２と第２の脈動計測部２２のそれぞれの出力端子に接続すれば、第１の脈動計測部１２と第２の脈動計測部２２のそれぞれが計測した脈動波形を観測でき、また図１に示した両者の立ち上がり時間差を測定できる。ここで、第２の脈動計測部２２が計測した脈動波形は最低血圧に対応しているので、これを基準にして、第１の脈動計測部１２が計測した脈動波形と第２の脈動計測部２２が計測した脈動波形の立ち上がり時間差により、第１の圧力測定部１０が測定する第１の加圧部１０が人体の一部に加えている圧力が最高血圧と最低血圧の間のどのレベルに相当するかを測定できる。
【００５３】
以上の手順により、第１の圧力測定部１０が測定する圧力からこの時点における人体の血圧とその血圧が最高血圧と最低血圧の間のどのレベルに相当するかを測定でき、第２の圧力測定部２１が測定する圧力からこの時点における人体の最低血圧を測定できる。また、第１の圧力測定部１０の測定する圧力は任意に変更できるので、最高血圧と最低血圧の間の任意のレベルに相当する血圧を測定できる。
【００５４】
上記の説明においては第２の加圧部２０が微小な圧力を人体の一部に加える例を説明したが、第２の加圧部２０の加える圧力は第２の圧力測定部２１により測定可能であるので第２の加圧部２０の加える圧力は任意に選択でき、血圧を全く同様の方法で測定できる。
【００５５】
また、上記の第２の実施の形態の血圧測定装置に第２の脈動計測部２２が計測する脈動波形の振幅が最大になるように、第２の加圧部２０の圧力を制御する振幅制御部を付加することもできる。この場合、第２の脈動計測部２２が計測する脈動波形は平均血圧に対応する脈動波形となり、第１の圧力測定部１１が測定する第１の加圧部１０の圧力は、第２の脈動計測部２２が計測する平均血圧に対応する脈動波形を基準として第１の脈動計測部１２が計測した脈動波形と第２の脈動計測部２２が計測した脈動波形の立ち上がり時間差から測定した最高血圧と最低血圧の間の任意のレベルに相当する血圧となる。このように第２の脈動計測部２２が計測する脈動波形の振幅が最大になるように、第２の加圧部２０の圧力を制御する振幅制御部を付加した場合、第２の脈動計測部２２が計測する平均血圧に対応する脈動波形を基準として、第１の加圧部１０の圧力から最高血圧と最低血圧の間の任意のレベルに相当する血圧を測定できる。
【００５６】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、振幅制御部は第２の脈動計測部２２が計測する脈動波形の振幅が最大になるように第２の加圧部２０の圧力を増加させるか、または減少させるかの信号を表示し、これを目視により読み取り、第２の加圧部２０の加圧圧力を変化させる方法によって前記と同様な血圧の測定が可能である。
【００５７】
（第３の実施の形態）
以下、本発明の第３の実施の形態について、添付の図面を参照して説明する。図５は本発明の第３の実施の形態の構成を示す図である。
【００５８】
図５に示すように、第３の実施の形態における血圧測定装置は、人体の一部に任意の圧力を加える第１の加圧部１０、第１の加圧部１０における圧力を測定する第１の圧力測定部１１、第１の加圧部１０における血管の脈動波形を計測する第１の脈動計測部１２、人体の一部に任意の圧力を加える第２の加圧部２０、第２の加圧部２０における血管の脈動波形を計測する第２の脈動計測部２２、第１の脈動計測部１２が計測する脈動波形と第２の脈動計測部２２が計測する脈動波形との時間差を測定する時間差測定部５０により構成される。
【００５９】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される。第１の脈動計測部１２、第２の脈動計測部２２はそれぞれ人体の一部の中で第１の加圧部１０、第２の加圧部２０が圧力を加えている部分に設置されている。
【００６０】
第１の脈動計測部１２、第２の脈動計測部２２はそれぞれ時間差測定部５０と信号線で接続されている。第１の脈動計測部１２、第２の脈動計測部２２の構成と機能は第１の実施の形態の説明において図３を参照して説明したのもと同様である。第１の加圧部１０と第１の圧力供給部１４、第２の加圧部２０と第２の圧力供給部２４は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段を用いても良い。
【００６１】
次に、第３の実施の形態における血圧測定装置による血圧測定方法を説明する。
【００６２】
第２の加圧部２０は第２の圧力供給部２４から圧力の供絵を受けて、人体の一部に微小な圧力を加える。第２の加圧部２０が微小な圧力を人体の一部に加えると、第２の脈動計測部２２は図１３に示す最低血圧１１３に対応する脈動波形１２０のＣ点１２３の脈動波形を計測する。
【００６３】
一方、第１の加圧部１０は第１の圧力供給部１４から圧力の供給を受けて、人体の一部に任意の圧力を加え、第１の脈動計測部１２は脈動波形を計測する。時間差測定部５０は第１の脈動計測部１２、第２の脈動計測部２２のそれぞれが計測した脈動波形を信号線により取り出し、図１に示した両者の立ち上がり時間差を測定する。ここで、第２の脈動計測部２２が計測した脈動波形は最低血圧に対応しているので、これを基準にして、第１の脈動計測部１２が計測した脈動波形と第２の脈動計測部２２が計測した脈動波形の立ち上がり時間差により、第１の圧力測定部１０が測定する第１の加圧部１０が人体の一部に加えている圧力が最高血圧と最低血圧の間のどのレベルに相当するかを測定できる。以上の手順により、第１の圧力測定部１０が測定する圧力からこの時点における人体の血圧とその血圧が最高血圧と最低血圧の間のどのレベル（血圧レベル）に相当するかを測定できる。すなわち、例えば、第１の圧力測定部１０が測定する圧力とともに上記のレベルを表示する。なお、時間差測定部５０により測定した時間差が最高血圧と最低血圧の間のどのレベルに相当するかは、当該時間差から血圧測定装置の外部で求めてもよいし、血圧測定装置における図示しない記憶部に、上記基準における時間差とレベルとの関係を示すデータを保持しておき、血圧測定装置が当該データと上記時間差とを用いて求めてもよい。
【００６４】
また、第１の圧力測定部１０の測定する圧力は任意に変更できるので、最高血圧と最低血圧の間の任意のレベルに相当する血圧を測定できる。また、第２の脈動計測部２２が計測する脈動波形の振幅が最大になるように、第２の加圧部２０の圧力を制御する振幅制御部を付加することもできる。この場合、第２の脈動計測部２２が計測する脈動波形は平均血圧に対応する脈動波形となり、第１の圧力測定部１１が測定する第１の加圧部１０の圧力は、第２の脈動計測部２２が計測する平均血圧に対応する脈動波形を基準として第１の脈動計測部１２が計測した脈動波形と第２の脈動計測部２２が計測した脈動波形の立ち上がり時間差から測定した最高血圧と最低血圧の間の任意のレベルに相当する血圧となる。このように第２の脈動計測部２２が計測する脈動波形の振幅が最大になるように、第２の加圧部２０の圧力を制御する振幅制御部を付加した場合、第２の脈動計測部２２が計測する平均血圧に対応する脈動波形を基準として、第１の加圧部１０の圧力から最高血圧と最低血圧の間の任意のレベルに相当する血圧を測定できる。
【００６５】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、振幅制御部は第２の脈動計測部２２が計測する脈動波形の振幅が最大になるように第２の加圧部２０の圧力を増加させるか、または減少させるかの信号を表示し、これを目視により読み取り、第２の加圧部２０の加圧圧力を変化させる方法によって前記と同様な血圧の測定が可能である。
【００６６】
（第４の実施の形態）
以下、本発明の第４の実施の形態について、添付の図面を参照して説明する。図６は本発明の第４の実施の形態における血圧測定装置の構成と動作を示す図である。図６に示すように、本発明の第４の実施の形態における血圧測定装置は、人体の一部に任意の圧力を加える第１の加圧部１０、該第１の加圧部１０における圧力を測定する第１の圧力測定部１１、第１の加圧部１０における血管の脈動波形を計測する第１の脈動計測部１２、人体の一部に任意の圧力を加える第２の加圧部２０、第２の加圧部２０における圧力を測定する第２の圧力測定部２１、第２の加圧部２０における血管の脈動波形を計測する第２の脈動計測部２２、第１の脈動計測部１２が計測する脈動波形と第２の脈動計測部２２が計測する脈動波形との時間差を測定する時間差測定部５０により構成される。
【００６７】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される竈第１の脈動計測部１２、第２の脈動計測部２２はそれぞれ人体の一部の中で第１の加圧部１０、第２の加圧部２０が圧力を加えている部分に設置されている。第１の脈動計測部１２、第２の脈動計測部２２はそれぞれ時間差測定部５０と信号線で接続されている。第１の脈動計測部１２、第２の脈動計測部２２の構成と機能は第１の実施の形態の説明において図３を参照して説明したものと同様である。第１の加圧部１０と第１の圧力供給部１４、第２の加圧部２０と第２の圧力供給部２４は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段で構成しても良い。
【００６８】
次に、本発明の第４の実施の形態における血圧測定装置の血圧測定方法を説明する。第２の加圧部２０は第２の圧力供給部２４から圧力の供給をうけて、人体の一部に、例えば微小な圧力を加える。第２の圧力測定部２１は第２の加圧部２０が人体の一部に加えた圧力を測定する。第２の加圧部２０が微小な圧力を人体の一部に加えると、第２の脈動計測部２２は図１３に示す最低血圧１１３に対応する脈動波形１２０のＣ点１２３の脈動波形を計測する。
【００６９】
一方、第１の加圧部１０は第１の圧力供給部１４から圧力の供給を受けて、人体の一部に任意の圧力を加え、第１の脈動計測部１２は脈動波形を計測する。時間差測定部５０は第１の脈動計測部１２、第２の脈動計測部２２のそれぞれが計測した脈動波形を信号線により取り出し、図１に示した両者の立ち上がり時間差を測定する。第２の脈動計測部２２が計測した脈動波形は最低血圧に対応しているので、これを基準にして、第１の脈動計測部１２が計測した脈動波形と第２の脈動計測部２２が計測した脈動波形の立ち上がり時間差により、第１の圧力測定部１０が測定する第１の加圧部１０が人体の一部に加えている圧力が最高血圧と最低血圧の間のどのレベルに相当するかを測定できる。以上の手順により、第１の圧力測定部１０が測定する圧力からこの時点における人体の血圧とその血圧が最高血圧と最低血圧の間のどのレベルに相当するかを測定できる。また、第１の圧力測定部１０の測定する圧力は任意に変更できるので、最高血圧と最低血圧の間の任意のレベルに相当する血圧を測定できる。また、第２の加圧部２０の加える圧力は第２の圧力測定部２１により測定可能であるので第２の加圧部２０の加える圧力は任意に選択でき、血圧を全く同様の方法で測定できる。
【００７０】
また、血圧測定装置に第２の脈動計測部２２が計測する脈動波形の振幅が最大になるように、第２の加圧部２０の圧力を制御する振幅制御部を付加することもできる。この場合、第２の脈動計測部２２が計測する脈動波形は平均血圧に対応する脈動波形となり、第１の圧力測定部１１が測定する第１の加圧部１０の圧力は、第２の脈動計測部２２が計測する平均血圧に対応する脈動波形を基準として第１の脈動計測部１２が計測した脈動波形と第２の脈動計測部２２が計測した脈動波形の立ち上がり時間差から測定した最高血圧と最低血圧の間の任意のレベルに相当する血圧となる。このように第２の脈動計測部２２が計測する脈動波形の振幅が最大になるように、第２の加圧部２０の圧力を制御する振幅制御部を付加した場合、第２の脈動計測部２２が計測する平均血圧に対応する脈動波形を基準として、第１の加圧部１０の圧力から最高血圧と最低血圧の間の任意のレベルに相当する血圧を測定できる。
【００７１】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、振幅制御部は第２の脈動計測部２２が計測する脈動波形の振幅が最大になるように第２の加圧部２０の圧力を増加させるか、または減少させるかの信号を表示し、これを目視により読み取り、第２の加圧部２０の加圧圧力を変化させる方法によって前記と同様な血圧の測定が可能である。
【００７２】
（第５の実施の形態）
次に、本発明の第５の実施の形態について、添付の図面を参照して説明する。図７は本発明の第５の実施の形態における血圧測定装置の構成を示す図である。
【００７３】
図７に示すように、本発明の第５の実施の形態における血圧測定装置は人体の一部に任意の圧力を加える第１の加圧部１０、第１の加圧部１０における血管の脈動波形を計測する第１の脈動計測部１２、人体の一部に任意の圧力を加える第２の加圧部２０、第２の加圧部における血管の脈動波形を計測する第２の脈動計測部２２、第１の脈動計測部１２が計測する脈動波形と第２の脈動計測部２２が計測する脈動波形との時間差を測定する時間差測定部５０、時間差測定部５０が測定する時間差が一定になるように第２の加圧部の圧力を調整する制御部２５、第１の圧力供給部１４、第２の圧力供給部２４により構成される。
【００７４】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される。第１の脈動計測部１２、第２の脈動計測部２２はそれぞれ人体の一部の中で第１の加圧部１０、第２の加圧部２０が圧力を加えている部分に設置されている。第１の脈動計測部１２、第２の脈動計測部２２はそれぞれ時間差測定部５０と信号線で接続されている。制御部２５は第２の圧力供給部２４と信号線で接続されている。時間差測定部５０は制御部２５と信号線で接続されている。第１の脈動計測部１２、第２の脈動計測部２２の構成と機能は第１の実施の形態の説明において図３を参照して説明したのもと同様である。
【００７５】
第１の加圧部１０と第１の圧力供給部１４、第２の加圧部２０と第２の圧力供給部２４、は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段を用いても良い。
【００７６】
次に、第５の実施の形態における血圧測定装置の血圧測定方法を説明する。第１の脈動計測部１２と第２の脈動計測部２２は図１３に示す血圧波形１１０の血圧と脈動波形１２０の信号振幅の関係を記憶している。ここで、図１３において血圧波形１１０の血圧値と脈動波形１２０の信号振幅は互いに対応する関係にあり、血圧１１０が高い血圧の方向へ変化した場合は、脈動波形１２０の信号振幅は波形の特徴は保持しながら相似形で振幅が大きくなり、血圧１１０が低い血圧の方向へ変化した場合は、脈動波形１２０の信号振幅は波形の特徴は保持しながら相似形で振幅が小さくなる。
【００７７】
第１の脈動計測部１２と第２の脈動計測部２２の各々はこのような脈動波形１２０の信号振幅とこれに対応する血圧波形１１０の血圧値との関係を例えば図示しない記憶部に記憶している。
【００７８】
第１の加圧部１０は第１の圧力供給部１４から圧力の供給を受けて人体の一部に微小な圧力を加える。第１の加圧部１０が微小な圧力を人体の一部に加えると、第１の脈動計測部１２は図１３に示す最低血圧１１３に対応する脈動波形１２０のＣ点１２３の脈動波形を計測する。ここで、第１の脈動計測部１２は記憶している脈動波形１２０の信号振幅とこれに対応する血圧波形の血圧値の関係をもとに、この時点の最低血圧を測定する。
【００７９】
一方、第２の加圧部２０は第２の圧力供給部２４から圧力の供給を受けて、人体の一部に任意の圧力を加え、第２の脈動計測部２２は脈動波形を計測する。時間差測定部５０は第１の脈動計測部１２が計測した脈動波形と第２の脈動計測部２２が計測した脈動波形を信号線により取り出し、図１に示した両者の立ち上がり時間差を測定し、測定結果を制御部２５へ伝える。制御部２５は時間差測定部５０から伝えられた測定結果から、第１の脈動計測部１２が測定した脈動波形と第２の脈動計測部２２が測定した脈動波形の立ち上がり時間差が事前に設定した値と差があるかを測定し、差がある場合は、第１の脈動計測部１２が計測した脈動波形と第２の脈動計測部２２が計測した脈動波形の立ち上がり時間差が事前に設定した値と一致するように第２の圧力供給部２４が供給する圧力を変化させ、第２の加圧部２０の圧力を制御する。
【００８０】
ここで、制御部２５に事前に設定されている第１の脈動計測部１２が計測した脈動波形と第２の脈動計測部２２が計測した脈動波形の立ち上がり時間差が、例えば、第１の脈動計測部１２が最低血圧に対応する脈動波形を計測している場合を基準にして第２の脈動計測部２２が平均血圧に対応する脈動波形を計測する時間差に設定されていた場合、第２の加圧部２０の圧力は常に平均血圧に相当する圧力となる。この時点で第２の脈動計測部２２は事前に記憶している脈動波形１２０の信号振幅とこれに対応する血圧波形の血圧値の関係をもとに、その時点で計測した脈動波形から平均血圧の値を測定する。
【００８１】
以上の手順により、第１の脈動計測部１２が計測した脈動波形から最低血圧を測定し、事前に設定されている第１の脈動計測部１２が計測した脈動波形と第２の脈動計測部２２が計測した脈動波形の立ち上がり時間差により圧力を制御された第２の加圧部２０において第２の脈動計測部２２が計測した脈動波形から平均血圧を連続的に測定できる。
【００８２】
上記の測定例は、第１の脈動計測部１２が最低血圧に対応する脈動波形を計測し、かつ事前に設定されている第１の脈動計測部１２が計測した脈動波形と第２の脈動計測部２２が計測した脈動波形の立ち上がり時間差を、第１の脈動計測部１２が最低血圧に対応する脈動波形を計測している場合を基準にして第２の脈動計測部２２が平均血圧に対応する脈動波形を計測する時間差に設定されていた場合であるが、第１の脈動計測部１２が計測する血圧と、時間差はそれぞれ任意に設定できる。従って、第１の脈動計測部１２は計測した脈動波形から任意のレベルの血圧を測定し、当該脈動波形を基準とする適切な立ち上がり時間差（所望の血圧レベルに対応した時間差）を用いることにより、第２の脈動計測部２２は所望のレベルに対応する脈動波形を計測することにより、所望のレベルの血圧を連続的に測定できる。
【００８３】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、時間差測定部５０は第１の脈動計測部１２が計測した脈動波形と第２の脈動計測部２２が計測した脈動波形の立ち上がり時間差を測定し、その測定結果に従って制御部２５は立ち上がり時間差を設定された一定にするように第２の加圧部２０の圧力を増加させるか、または減少させるかの信号を表示し、これを目視により読み取り、第２の加圧部２０の加圧圧力を変化させる方法によって前記と同様な血圧の測定が可能である。
【００８４】
また、第１の脈動計測部１２が計測する脈動波形の振幅が最大になるように、第１の加圧部１０の圧力を制御する振幅制御部を付加することもできる。この場合、第１の脈動計測部１２が計測する脈動波形は平均血圧に対応する脈動波形となり、第１の脈動計測部１２は上記と同様の手順により平均血圧を測定する。また、第２の脈動計測部２２は事前に設定された第１の脈動計測部１２が計測した脈動波形と第２の脈動計測部２２が計測した脈動波形の立ち上がり時間差から、第１の圧力測定部１１が測定する平均血圧を基準とした、事前に設定された任意のレベルの血圧を測定する。
【００８５】
（第６の実施の形態）
以下、本発明に第６の実施の形態について、添付の図面を参照して説明する。図８は第６の実施の形態における血圧測定装置の構成を示す図である。図８に示すように、本発明に第６の実施の形態における血圧測定装置は人体の一部に任意の圧力を加える第１の加圧部１０、第１の加圧部１０における血管の脈動波形を計測する第１の脈動計測部１２、人体の一部に任意の圧力を加える第２の加圧部２０、第２の加圧部２０における圧力を測定する第２の圧力測定部２１、第２の加圧部２０における血管の脈動波形を計測する第２の脈動計測部２２、第１の脈動計測部１２が計測する脈動波形と第２の脈動計測部２２が計測する脈動波形との時間差を測定する時間差測定部５０、時間差測定部５０が測定する時間差が一定になるように第２の加圧部２０の圧力を調整する制御部２５により構成される。
【００８６】
第１の圧力供給部１４は圧力供給のためのパイプで第１の加圧部１０と接続され、第２の圧力供給部２４は圧力供給のためのパイプで第２の加圧部２０と接続されている。第１の加圧部１０、第２の加圧部２０はそれぞれ、人体の一部を囲むように、あるいは挟むように設置される。第１の脈動計測部１２、第２の脈動計測部２２はそれぞれ人体の一部の中で第１の加圧部１０、第２の加圧部２０が圧力を加えている部分に設置されている。第１の脈動計測部１２、第２の脈動計測部２２はそれぞれ時間差測定部５０と信号線で接続されている。制御部２５は第２の圧力供給部２４と信号線で接続されている。時間差測定部５０は制御部２５と信号線で接続されている。第１の脈動計測部１２、第２の脈動計測部２２の構成と機能は第１の実施の形態の説明において図３を参照して説明したのもと同様である。第１の加圧部１０と第１の圧力供給部１４、第２の加圧部２０と第２の圧力供給部２４、は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段を用いても良い。
【００８７】
以下、第６の実施の形態における血圧測定装置の血圧測定方法を説明する。第１の加圧部１０は第１の圧力供給部１４から圧力の供給を受けて人体の一部に微小な圧力を加える。第１の加圧部１０に微小な圧力を人体の一部に加えると、第１の脈動計測部１２は図１３に示す最低血圧１１３に対応する脈動波形１２０のＣ点１２３の脈動波形を計測する。一方、第２の加圧部２０は第２の圧力供給部２４から圧力の供給を受けて、人体の一部に任意の圧力を加え、第２の脈動計測部２２は脈動波形を計測する。時間差測定部５０は第１の脈動計測部１２が測定した脈動波形と第２の脈動計測部２２が測定した脈動波形を信号線により取り出し、図１に示した両者の立ち上がり時間差を測定し、測定結果を制御部２５へ伝える。制御部２５は時間差測定部５０から伝えられた測定結果から、第１の脈動計測部１２が測定した脈動波形と第２の脈動計測部２２が測定した脈動波形の立ち上がり時間差が事前に設定した値と差があるかを測定し、差がある場合は、第１の脈動計測部１２が計測した脈動波形と第２の脈動計測部２２が計測した脈動波形の立ち上がり時間差が事前に設定した値と一致するように第２の圧力供給部２４が供給する圧力を変化させ、第２の加圧部２０の圧力を制御する。
【００８８】
ここで、制御部２５に事前に設定されている第１の脈動計測部１２が測定した脈動波形と第２の脈動計測部２２が測定した脈動波形の立ち上がり時間差が、例えば、第１の脈動計測部１２が最低血圧に対応する脈動波形を計測している場合を基準にして第２の脈動計測部２２が平均血圧に対応する脈動波形を計測する時間差に設定されていた場合、第２の加圧部２０の圧力は常に平均血圧に相当する圧力となる。以上の手順により、第２の圧力測定部２１が測定する圧力から平均血圧が連続的に測定できる。
【００８９】
上記の測定例は、事前に設定されている第１の脈動計測部１２が計測した脈動波形と第２の脈動計測部２２が計測した脈動波形の立ち上がり時間差を、第１の脈動計測部１２が最低血圧に対応する脈動波形を計測している場合を基準にして第２の脈動計測部２２が平均血圧に対応する脈動波形を計測する時間差に設定されていた場合であるが、この時間差は任意に設定できる。従って、第２の脈動計測部２２は第１の脈動計測部１２が最低血圧に対応する脈動波形を計測している場合を基準にして、第１の脈動計測部１２が計測した脈動波形と第２の脈動計測部２２が計測した脈動波形の立ち上がり時間差として事前に設定した任意のレベルに対応する血圧を連続的に測定できる。
【００９０】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、時間差測定部５０は第１の脈動計測部１２が計測した脈動波形と第２の脈動計測部２２が計測した脈動波形の立ち上がり時間差を測定し、その測定結果に従って制御部２５は立ち上がり時間差を設定された一定値にするように第２の加圧部２０の圧力を増加させるか、または減少させるかの信号を表示し、これを目視により読み取り、第２の抑圧部２０の加圧圧力を変化させる方法によって前記と同様な血圧の測定が可能である。
【００９１】
また、第１の脈動計測部１２が計測する脈動波形の振幅が最大になるように、第１の加圧部１０の圧力を制御する振幅制御部を付加することもできる。この場合、第１の脈動計測部１２が計測する脈動波形は平均血圧に対応する脈動波形となり、第２の圧力測定部２１は、事前に設定された第１の脈動計測部１２が計測した脈動波形と第２の脈動計測部２２が計測した脈動波形の立ち上がり時間差から、第１の圧力測定部１１が測定する平均血圧を基準とした事前に設定された任意のレベルの血圧を測定する。
【００９２】
（第７の実施の形態）
以上、第１の実施の形態から第４の実施の形態の説明において、第２の脈動計測部２２が計測する脈動波形の振幅が最大になるように、第２の加圧部２０の圧力を制御する振幅制御部を付加することもできる場合を説明した。
【００９３】
また、第５の実施の形態と第６の実施の形態の説明において、第１の脈動計測部１２が計測する脈動波形の振幅が最大になるように、第１の加圧部１０の圧力を制御する振幅制御部を付加することもできる場合を説明した。
【００９４】
このように、第１の実施の形態から第４の実施の形態の血圧測定装置に、第２の脈動計測部２２が計測する脈動波形の振幅が最大になるように、第２の加圧部２０の圧力を制御する振幅制御部を付加した血圧測定装置、あるいは第５の実施の形態と第６の実施の形態の血圧測定装置に、第１の脈動計測部１２が計測する脈動波形の振幅が最大になるように、第１の加圧部１０の圧力を制御する振幅制御部を付加した血圧測定装置が第７の実施の形態における血圧測定装置である。
【００９５】
（第８の実施の形態）
以下、本発明の第８の実施の形態について、添付の図面を参照して説明する。図９は本発明の第８の実施の形態における血圧測定装置の構成と動作を示す図である。
【００９６】
図９に示すように、本発明の第８の実施の形態における血圧測定装置は人体の一部に任意の圧力を加える第１の加圧部１０、第１の加圧部１０における圧力を測定する第１の圧力測定部１１、第１の加圧部１０における血管の脈動波形を計測する第１の脈動計測部１２、第１の脈動計測部１２が計測する脈動波形が所定の形状となるように第１の加圧部１０の圧力を制御する第１の制御部１３、人体の一部に任意の圧力を加える第２の加圧部２０、第２の加圧部２０における圧力を測定する第２の圧力測定部２１、第２の加圧部２０における血管の脈動波形を計測する第２の脈動計測部２２、第１の脈動計測部１２が計測する脈動波形と第２の脈動計測部２２が計測する脈動波形との時間差を測定する時間差測定部５０、時間差測定部５０が測定する時間差が一定になるように第２の加圧部２０の圧力を調整する第２の制御部２３、第１の加圧部１０に圧力を供給する第１の圧力供給部１４、第２の加圧部２０に圧力を供給する第２の圧力供給部２４で構成される。
【００９７】
第１の圧力供給部１４は圧力供給のためのパイプで第１の加圧部１０とパイプで接続され、第２の圧力供給部２４は圧力供給のためのパイプで第２の加圧部２０とパイプで接続されている。第１の脈動計測部１２は第１の制御部１３と信号線で接続され、第２の脈動計測部２２は第２の制御部２３と信号線で接続されている。第１の制御部１３は信号線で第１の圧力供給部１４と信号線で接続され、第２の制御部２３は信号線で第２の圧力供給部２４と接続されている。
【００９８】
第１の脈動計測部１２と第２の脈動計測部２２はともに時間差測定部５０と信号線で接続され、時間差測定部５０は信号線で第２の制御部２３と接続されている。第１の脈動計測部１２、第２の脈動計測部２２の構成と機能は第１の実施の形態の説明において図３を参照して説明したものと同様である。第１の加圧部１０と第１の圧力供給部１４、第２の加圧部２０と第２の圧力供給部２４、は例えば空気ポンプなどを使用した加圧手段で構成しても良いし、ゴムあるいはスポンジのような弾力性のある材料で作られた簡易な加圧手段で構成しても良いし、指で押すなどの簡易な加圧手段を用いても良い。
【００９９】
第１の制御部１３は図１３に示した血圧波形１１０と脈動波形１２０の波形を記憶している。図１０により脈動波形１２０の細部の特徴を説明する。図１０は図１３に示した脈動波形１２０の特徴を説明するために図１３の脈動波形１２０のみを再度示したものである。
【０１００】
図１０の中に示した（ａ）、（ｂ）、（ｃ）はそれぞれＡ点１２１、Ｂ点１２２、Ｃ点１２３の脈動波形１２０を拡大したものである。図１０の中に示した（ａ）、（ｂ）、（ｃ）はそれぞれ図１３のＡ点１２１、Ｂ点１２２、Ｃ点１２３に対応する脈動波形を構成するパルス状の波形の１周期分を実線で示し、隣接するパルス状の波形を破線で示している。
【０１０１】
脈動波形１２０を構成しているパルス状の波形を個々に見ると、最高血圧に相当するＡ点１２１近傍では（ａ）に示すように平坦な部分が多く振幅の小さな三角形状のパルス状の波形であり、平均血圧に対応するＢ点１２２へ近づくに従って三角形の頭部は鋭くなり平坦部は減少し、Ｂ点１２２においては（ｂ）に示すように平坦部と三角形が占める部分の時間がほぼ等しくなり、上下に振動する三角波の下半分が切り取られたとも言えるパルス状の波形である。さらに最低血圧１１３に対応するＣ点１２３に近づくに従って脈動波形１２０を構成するパルス状の波形は三角波に近づき、Ｃ点１２３においては（ｃ）に示すように立ち上がり部分が垂直に近づき、立下り部分が緩やかなパルス状の波形となる。
【０１０２】
このように、脈動波形１２０を構成しているパルス状の波形の各々は最高血圧に対応するＡ点１２１から、最低血圧に対応するＣ点１２３までの範囲で非常に顕著な特徴のある形状を示している。また、この脈動波形１２０の形状は血圧が変化した場合は振幅が変化するのみで、その形状は変化しないことが知られている。すなわち図１３において血圧が全体的に高い血圧側へ変化し血圧波形１１０が全体的に高い方へ移動した場合は脈動波形１２０の振幅は大きくなり、または血圧が全体的に低い血圧側へ変化し血圧波形１１０が全体的に低い方へ移動した場合、脈動波形１２０の振幅は小さくなるが、波形の形状は相似形に保たれる。
【０１０３】
従って、任意の時点で計測した脈動波形を構成しているパルス状の波形の１周期分の波形を図１０に示す脈動波形１２０を構成しているパルス状の各波形と詳細に比較すればその波形が最高血圧と最低血圧の間のどのレベルに相当するかが判定できる。また、第１の制御部１３は前記の脈動波形の特徴以外に所定の波形も記憶している。
【０１０４】
次に、第８の実施の形態における血圧測定装置の血圧測定方法を説明する。第１の加圧部１０は第１の圧力供給部１４から圧力の供給を受けて人体の一部に圧力を加え、その圧力を第１の圧力測定部１１が測定する。第１の脈動計測部１２は第１の加圧部１０が圧力を加えている人体の一部の脈動波形を計測する。第１の制御部１３は第１の脈動計測部１２が計測する波形が前記の第１の制御部１３が記憶している所定の脈動波形と一致するように第１の圧力供給部１４の圧力を変化させ、第１の加圧部１０の圧力を制御する。
【０１０５】
ここで第１の制御部１３が、第１の脈動計測部１２が測定する脈動波形と第１の制御部１３が記憶している所定の脈動波形とを一致させるように制御する方法の一例は図１１に示す通りである。
【０１０６】
図１１には図１３に示した脈動波形１２０および最高血圧に対応するＡ点１２１、平均血圧に対応するＢ点１２２、最低血圧に対応するＣ点１２３を再度示している。図１１の中の表の上段は波形番号、中段は基準波形、下段は血圧レベルを表している。この表で中段の基準波形は脈動波形１２０を構成しているパルス状の波形を１周期毎に分割して、最高血圧を左端にして、右側へ行くほど血圧の低い状態に対応するように配列したものであり、血圧計測の基準となる脈動波形である。上段の波形番号は中段の基準波形に最高血圧側から最低血圧側へ番号を「１、２、３、・・・・」と付与したものである。下段の血圧レベルは最高血圧に対応する波形、すなわち番号１の波形を１００％とし、最低血圧を０％として最高血圧から最低血圧の間の基準波形に対応する血圧レベルを比例配分した数字である。
【０１０７】
この波形番号、基準波形、血圧レベルは第１の制御部１３が記憶している。図１１には所定の脈動波形１４０、計測した脈動波形１４１、加圧圧力の制御方向１４２、加圧圧力の傾向１４３も示されている。ここで、加圧圧力の傾向１４３は表の中の波形番号「１」が図１３に示した加圧圧力１１４が高い場合に対応し、波形番号が大きくなるほど図１３に示した加圧圧力１１４が低い場合に対応する傾向にあることを示している。第１の制御部１３は図１１の表を記憶しているとともに、さらに、所定の脈動波形も記憶している。
【０１０８】
第１の制御部１３は予め次の演算を実施する。すなわち、第１の制御部１３は記憶している基準となる脈動波形と、同じく記憶している所定の脈動波形を比較し、所定の脈動波形が基準となる脈動波形を構成する個々のパルス状の波形の中で一致するパルス状の波形の番号を記憶する。ここで、所定の脈動波形が基準となる脈動波形の何番に相当するかを検索する方法は次の通りである。所定の脈動波形と基準となる脈動波形は時間軸上で例えば１０００等分され各時刻に対応する振幅の値がディジタル信号で表現されている。そこで、所定の脈動波形１４０と基準となる脈動波形の波形番号１の脈動波形が各時刻毎に比較される。比較の結果、差があった場合はその差が記憶される。次に、所定の脈動波形１４０と基準となる脈動波形の波形番号２の基準波形との比較が同様の手順で行われる。このような操作を基準となる脈動波形の波形番号１から最後の番号まで繰り返すことにより、所定の脈動波形１４０と最も近い波形を持った基準となる脈動波形の波形番号が検索できる。図１１の例においては所定の脈動波形１４０は基準となる脈動波形の波形番号ｋに対応することが示されている。さらに、第１の制御部１３は第１の脈動計測部１２が計測した脈動波形１４１が基準となる脈動波形のどの波形番号の波形と最も近いかを前記と同様な手順で検索する。
【０１０９】
ここで、第１の脈動計測部１２が測定した脈動波形１４１と基準となる脈動波形を比較する場合、両波形の最大値を揃えた後に両波形の対応する時刻毎に振幅を比較する。ここで両波形の最大値を揃えた後に両波形の対応する時刻毎に振幅を比較する理由は、脈動波形の振幅は血圧に依存して変化するので、この振幅方向の変化分を除いて脈動波形の形状を比較する必要があるためである。図１１の例では所定の波形１４０は基準となる脈動波形の波形番号ｋと一致し、計測した脈動波形１４１は基準となる脈動波形の波形番号ｎと一致することが示されている。以上の判定結果をもとに第１の制御部１３はその時点で第１の脈動計測部１２が測定した脈動波形１４１と所定の脈動波形１４０のそれぞれに対応する基準となる脈動波形の波形番号が何番離れているかを記憶し、その差が零になるように、すなわちその時点で第１の脈動計測部１２が測定した脈動波形１４１と所定の脈動波形１４０のそれぞれに対応する基準となる脈動波形の波形番号が一致するように圧力を制御する信号を第１の圧力供給部１４へ送信し圧力を変化させ、第１の加圧部１０の圧力を制御する。
【０１１０】
ここで、その時点で第１の脈動計測部１２が計測した脈動波形１４１に対応する基準となる脈動波形の波形番号と所定の脈動波形１４０に対応する基準となる脈動波形の波形番号を一致させる方法は次のように実行できる。例えば、その時点で第１の脈動計測部１２が計測した脈動波形１４１に対応する基準となる脈動波形の波形番号の番号が所定の脈動波形１４０に対応する基準となる脈動波形の波形番号の番号より小さい場合、その時点で人体の一部に加えられている圧力は所定の脈動波形１４０が得られる圧力よりも高く、最高血圧側にあることが分かる。従ってこの場合は第１の制御部１３は第１の加圧部１０の圧力を減じるように制御する。
【０１１１】
また、逆に図１１に示されている例のように、その時点で第１の脈動計測部１２が計測した脈動波形１４１に対応する基準となる脈動波形の波形番号の番号が所定の脈動波形１４０に対応する基準となる脈動波形の波形番号の番号より大きい場合、その時点で人体の一部に加えられている圧力は所定の脈動波形１４０が得られる圧力よりも低く、最低血圧側にあることが分かる。従ってこの場合は第１の制御部１３は第１の加圧部１０の圧力を高めるように制御する。
【０１１２】
図１１に上記の例の場合の圧力の制御方向１４２が示されている。また、測定中に血圧は変動して第１の脈動計測部１２が計測する脈動波形は時々刻々変化するが、第１の制御部１３は常に第１の脈動計測部１２が計測した脈動波形が第１の制御部１３に記憶されている所定の脈動波形と一致するように制御する。なお、上記の例では、所定の脈動波形１４０を予め記憶させておく例について示したが、所定の脈動波形１４０を予め記憶させる代わりに、所定の脈動波形１４０に対応する血圧レベルもしくは波形番号を予め記憶させておいてもよい。
【０１１３】
次に、第２の加圧部２０は第２の圧力供給部２４から圧力の供給を受けて人体の一部に圧力を加え、その圧力を第２の圧力測定部２１が測定する。第２の脈動計測部２２は第２の加圧部２０が圧力を加えている人体の一部の脈動波形を計測する。時間差測定部５０は第１の脈動計測部１２が計測した脈動波形と第２の脈動計測部２２が計測した脈動波形の時間差を測定し、その結果を第２の制御部２３へ送信する。第２の制御部２３は第１の脈動計測部１２が計測する脈動波形と第２の脈動計測部２２が計測する脈動波形の時間差が指定された一定の値となるように第２の圧力供給部２４の圧力を変化させ、第２の加圧部２０の圧力を制御する。
【０１１４】
以上の測定において、血圧を測定する方法を図１１の例により具体的に説明する。図１１に示すように所定の脈動波形１４０に対応する基準となる脈動波形の波形番号はｋであり、その血圧レベルは図１１に示すように７５％である。前記の第１の制御部１３の制御により第１の脈動計測部１２の計測する脈動波形１４１に対応する基準となる脈動波形の波形番号もｋに一致する。その状態で第２の加圧部２０は任意の圧力を人体の一部に加え、第２の脈動計測部２２は脈動波形を計測している。また時間差測定部５０は第１の脈動計測部１２が計測した脈動波形と第２の脈動計測部２２が計測した脈動波形の時間差を測定している。ここで、第１の加圧部１０の圧力は所定の波形で指定された血圧であり、その血圧は最高血圧から最低血圧の間の７５％のレベルにあることが測定されている。また、第２の加圧部２０の圧力は、第１の脈動計測部１２が計測した脈動波形と第２の脈動計測部２２が計測した脈動波形の時間差として指定された値に対応する血圧であり、またその血圧が最高血圧から最低血圧の間のどのレベルに相当するかは、第１の脈動計測部１２が計測した脈動波形と第２の脈動計測部２２の時間差から測定できる。
【０１１５】
上記の測定において、第１の加圧部１０と第２の加圧部２０、第１の圧力供給部１４と第２の圧力供給部２４がゴムあるいはスポンジのような弾力性のある材料で作られた簡易な加圧手段、あるいは指で押すなどの簡易な加圧手段であった場合は、次のような手順で測定することができる。
【０１１６】
第１の制御部１３が第１の脈動計測部１２が計測した波形が所定の波形に一致するように第１の加圧部１０の圧力を増加させるか、または減少させるかの信号を表示し、これを目視により読み取り第１の加圧部１０の圧力を制御する。
【０１１７】
時間差測定部５０は第１の脈動計測部１２が計測した脈動波形と第２の脈動計測部２２が計測した脈動波形の立ち上がり時間差を測定し、その測定結果に従って制御部２３は立ち上がり時間差を設定された一定にするように第２の加圧部２０の圧力を増加させるか、または減少させるかの信号を表示し、これを目視により読み取り、第２の加圧部２０の加圧圧力を変化させる方法によって前記と同様な血圧の測定が可能である。
【０１１８】
以上のように第８の実施の形態による血圧測定装置によれば、脈動波形が所定の波形に一致する血圧を測定しその血圧が最高血圧から最低血圧の間のどのレベルに相当するかを測定するとともに、さらに第１の脈動計測部１２が計測する脈動波形と第２の脈動計測部２２が計測する脈動波形の時間差として指定した最高血圧から最低血圧の間の指定したレベルの血圧を同時に、かつ連続的に測定することができる。
【０１１９】
（第９の実施の形態）
以下、本発明の第９の実施の形態について説明する。本発明の第９の実施の形態における血圧測定装置の構成は、図９、図１０、図１１を参照して説明した第８の実施の形態における血圧測定装置と同様の構成である。
【０１２０】
第９の実施の形態における血圧測定装置の動作が第８の実施の形態の動作と異なる点は、第８の実施の形態の血圧測定装置では第１の制御部１３が第１の脈動計測部１２の計測する脈動波形を所定の脈動波形になるように制御するのに対して、第９の実施の形態の血圧測定装置の場合は、第１の制御部１３が第１の脈動計測部１２の計測する脈動波形を最大振幅に相当する脈動波形になるように制御する点である。
【０１２１】
第９の実施の形態における血圧測定装置は第１の脈動計測部１２が計測する脈動波形が最大振幅に相当する波形に一致する血圧、すなわち平均血圧を測定するとともに、さらに第１の脈動計測部１２が計測する脈動波形と第２の脈動計測部２２が計測する脈動波形の時間差として指定した最高血圧から最低血圧の間の指定したレベルの血圧を同時に、かつ連続的に測定することができる。
【０１２２】
（第１０の実施の形態）
以下、本発明の第１０の実施の形態について説明する。本発明の第１０の実施の形態における血圧測定装置の構成は、図９、図１０、図１１を参照して説明した第８の実施の形態における血圧測定装置と同様の構成である。
【０１２３】
第１０の実施の形態における血圧測定装置の動作が第８の実施の形態の動作と異なる点は、第８の実施の形態の血圧測定装置では第１の制御部１３が第１の脈動計測部１２の計測する脈動波形を所定の脈動波形になるように制御するのに対し、第１０の実施の形態における血圧測定装置の場合は第１の制御部１３が、第１の脈動計測部１２の計測する脈動波形が計測できる最大の圧力を維持するように第１の加圧部１０の圧力を制御する点である。
【０１２４】
第１０の実施の形態における血圧測定装置によれば、第１の脈動計測部１２が計測できる最大の圧力に相当する脈動波形に一致する血圧、すなわち最高血圧を測定するとともに、さらに第１の脈動計測部１２が計測する脈動波形と第２の脈動計測部２２が計測する脈動波形の時間差として指定した最高血圧から最低血圧の間の指定したレベルの血圧を同時に、かつ連続的に測定することができる。
【０１２５】
（第１１の実施の形態）
以下、本発明の第１１の実施の形態について説明する。本発明の第１１の実施の形態における血圧測定装置の構成は、第１０の実施の形態における血圧測定装置と同様の構成である。
【０１２６】
第１１の実施の形態における血圧測定装置の動作が第１０の実施の形態の動作と異なる点は、第１０の実施の形態における血圧測定装置の場合は第２の制御部２３が、第１の脈動計測部１２が計測する脈動波形と第２の脈動計測部２２が計測する脈動波形の時間差が一定値になるように第２の加圧部２０の圧力を制御するのに対して、第１１の実施の形態における血圧測定装置の場合は第２の制御部２３が、第１の脈動計測部１２が計測する脈動波形と第２の脈動計測部２２が計測する脈動波形の時間差が最高血圧と最低血圧の中間に相当する時間差になるように第２の加圧部２０の圧力を制御する点である。
【０１２７】
第１１の実施の形態における血圧測定装置によれば、第１の脈動計測部１２が計測できる最大振幅に相当する波形に一致する血圧、すなわち最高血圧を測定するとともに、さらに第１の脈動計測部１２が計測する脈動波形と第２の脈動計測部２２が計測する脈動波形の時間差が最高血圧から最低血圧の中間に相当する時間差となる血圧、すなわち平均血圧を同時に、かつ連続的に測定することができる。
【０１２８】
上記の各実施の形態においては人体の二箇所で計測する脈動波形の時間差を用いて血圧を測定しているが、人体の二箇所において計測する脈動波形の半値幅の差を用いても全く同様に血圧の測定が可能である。
【０１２９】
なお、本発明は、上記の実施例に限定されることなく、特許請求の範囲内において、種々変更・応用が可能である。
【０１３０】
【発明の効果】
以上説明したように、本発明の血圧測定装置によれば血圧を簡易かつ正確に測定することが可能となる。
【０１３１】
【図面の簡単な説明】
【図１】本発明の原理について説明するための図である。
【図２】本発明の第１の実施の形態における血圧測定装置の構成図である。
【図３】本発明の第１の実施の形態における脈動計測部の構成を説明するための図である。
【図４】本発明の第２の実施の形態における血圧測定装置の構成図である。
【図５】本発明の第３の実施の形態における血圧測定装置の構成図である。
【図６】本発明の第４の実施の形態における血圧測定装置の構成図である。
【図７】本発明の第５の実施の形態における血圧測定装置の構成図である。
【図８】本発明の第６の実施の形態における血圧測定装置の構成図である。
【図９】本発明の第８の実施の形態における血圧測定装置の構成図である。
【図１０】脈動波形の形状を説明するための図である。
【図１１】本発明の第８〜第１１の実施の形態における血圧測定装置の血圧測定の具体例を説明するための図である。
【図１２】従来の血圧測定装置の構成を説明するための図である。
【図１３】従来の血圧測定装置における血圧測定の原理を説明するための図である。
【符号の説明】
１  血圧測定装置、１０  第１の加圧部、１１  第１の圧力測定部
１２  第１の脈動計測部、１３  第１の制御部、１４  第１の圧力供給部
２０  第２の加圧部、２１  第２の圧力測定部、２２  第２の脈動計測部
２３  第２の制御部、２４  第２の圧力供給部、２５  制御部
３０  照射光、３１  反射光、３２  反射板、４０  人体の一部
５０  時間差測定部、１００  加圧部、１０１  加圧ポンプ
１０２  脈動計測部、１０３  脈動表示部、１０４  圧力測定部
１０５  圧力表示部、１２０  脈動波形、１２１  Ａ点、１２２  Ｂ点
１２３  Ｃ点、１３０  血圧波形、１３１  脈動波形Ｘ、１３２  脈動波形Ｙ
１３３  ＴＸ、１３４  ＴＹ、１３５  立上りの時間差
１４０  所定の脈動波形、１４１  計測した脈動波形
１４２  加圧圧力の制御方向、１４３  加圧圧力の傾向、２００  人体の一部
【図１】
2004344309.tif 000003
【図２】
2004344309.tif 000004
【図３】
2004344309.tif 000005
【図４】
2004344309.tif 000006
【図５】
2004344309.tif 000007
【図６】
2004344309.tif 000008
【図７】
2004344309.tif 000009
【図８】
2004344309.tif 000010
【図９】
2004344309.tif 000011
【図１０】
2004344309.tif 000012
【図１１】
2004344309.tif 000013
【図１２】
2004344309.tif 000014
【図１３】
2004344309.tif 000015